(57)【要約】【課題】  多層技術などにより更に大容量化を行おうとする際に、容量増加に伴うディフェクトクラスタの増加があっても、従来装置との親和性や起動処理の効率化などのために、ディフェクトリストの容量は従来のままで済ませる。【解決手段】  記録容量を増加させることによってより多くの欠陥交替処理が必要になっても、連続するクラスタの交替に対して、ステータスもしくはセクタアドレス表示部の一部を以って、連続するクラス多数を示すので、1個のDFLエントリーで指示出来る為、従来の装置との高い互換性を保ったまま、多くの欠陥の交替を少ないＤＦＬエントリーで指示できディフェクトリストの容量増加を防ぐことができる。【選択図】  図２
2010205373.tif 000002
【特許請求の範囲】
【請求項１】
記録媒体にディジタル情報を記録する記録方法であって、
ユーザーデータ領域の連続するｎクラスタ（nは自然数）のデータに欠陥が生じて代替領域のデータに交替記録する管理情報が記録される管理領域は、
第１のステータス領域と、第２のステータス領域と、欠陥クラスタの先頭セクタ番号領域と、交替クラスタの先頭セクタ番号領域からなり、
欠陥クラスタの先頭セクタ番号領域には連続する前記ｎクラスタの先頭セクタ番号を記録し、
交替クラスタの先頭セクタ番号領域には前記ｎクラスタの交替クラスタの先頭セクタ番号を記録し、
一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRD以外の第１のステータスと第２のステータスの組み合わせとなるように、nをエンコードもしくは、一部に他との識別コード一部にnを配置して生成された、第１のステータスと第２のステータスを記録することを特徴とするディジタル情報の記録方法。
【請求項２】
記録媒体にディジタル情報を記録する記録方法であって、
ユーザーデータ領域の連続するｎクラスタ（nは自然数）のデータに欠陥が生じて代替領域のデータに交替記録する管理情報が記録される管理領域は、
第１のステータス領域と、第２のステータス領域と、欠陥クラスタの先頭セクタ番号領域と、交替クラスタの先頭セクタ番号領域からなり、
欠陥クラスタの先頭セクタ番号領域のクラスタ番号領域には連続する前記ｎクラスタの先頭のクラスタ番号をクラスタ内セクタ番号領域にはｎを記録し、
交替クラスタの先頭セクタ番号領域のクラスタ番号領域には前記ｎクラスタの交替クラスタの先頭クラスタのクラスタ番号をクラスタ内セクタ番号領域にはｎを記録することを特徴とするディジタル情報の記録方法。
【請求項３】
請求項２記載の記録方法において、一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRDでは、
欠陥クラスタの先頭セクタ番号領域のクラスタ内セクタ番号領域にはクラスタ先頭セクタ番号を記録し、
交替クラスタの先頭セクタ番号領域のクラスタ内セクタ番号領域にはクラスタ先頭セクタ番号を記録することを特徴とするディジタル情報の記録方法。
【請求項４】
記録媒体にディジタル情報を記録する記録方法であって、
ユーザーデータ領域の連続するｎクラスタ（nは自然数）のデータに欠陥が生じて代替領域のデータに交替記録する管理情報が記録される管理領域は、
第１のステータス領域と、第２のステータス領域と、欠陥クラスタの先頭セクタ番号領域と、交替クラスタの先頭セクタ番号領域からなり、
欠陥クラスタの先頭セクタ番号領域には連続する前記ｎクラスタの先頭セクタ番号を記録し、
交替クラスタの先頭セクタ番号領域には前記ｎクラスタの交替クラスタの先頭セクタ番号を記録し、
一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRD以外の第１のステータスと第２のステータスの組み合わせとなるように、nをエンコードもしくは、一部に他との識別コード一部にｎを配置して生成された、第１のステータスと第２のステータスを記録する方式と、
ｎ個のクラスタに発生した欠陥をｎ個のクラスタに交替させる際の先頭クラスタと最後尾クラスタを示す２個のエントリーで示すCRDの方式とをｎが予め定めておいた値に対する大小で切り換えることを特徴とするディジタル情報の記録方法。
【請求項５】
記録媒体にディジタル情報を記録する記録方法であって、
ユーザーデータ領域の連続するｎクラスタ（nは自然数）のデータに欠陥が生じて代替領域のデータに交替記録する管理情報が記録される管理領域は、
第１のステータス領域と、第２のステータス領域と、欠陥クラスタの先頭セクタ番号領域と、交替クラスタの先頭セクタ番号領域からなり、
欠陥クラスタの先頭セクタ番号領域のクラスタ番号領域には連続する前記ｎクラスタの先頭のクラスタ番号をクラスタ内セクタ番号領域にはｎを記録し、
交替クラスタの先頭セクタ番号領域のクラスタ番号領域には前記ｎクラスタの交替クラスタの先頭クラスタのクラスタ番号をクラスタ内セクタ番号領域にはｎを記録する方式と、
ｎ個のクラスタに発生した欠陥をｎ個のクラスタに交替させる際の先頭クラスタと最後尾クラスタを示す２個のエントリーで示すCRDの方式とを
ｎが予め定めておいた値に対する大小で切り換えることを特徴とするディジタル情報の記録方法。
【請求項６】
ユーザーデータ領域の連続するｎクラスタ（nは自然数）のデータに欠陥が生じて代替領域のデータに交替記録する管理情報が記録される管理領域は、
第１のステータス領域と、第２のステータス領域と、欠陥クラスタの先頭セクタ番号領域と、交替クラスタの先頭セクタ番号領域からなり、
欠陥クラスタの先頭セクタ番号領域には連続する前記ｎクラスタの先頭セクタ番号が記録され、
交替クラスタの先頭セクタ番号領域には前記ｎクラスタの交替クラスタの先頭セクタ番号が記録され、
一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRD以外の第１のステータスと第２のステータスの組み合わせとなるように、nをエンコードもしくは、一部に他との識別コード一部にnを配置して、生成された第１のステータスと第２のステータスが記録されていることを特徴とするディジタル情報の記録媒体。
【請求項７】
ユーザーデータ領域の連続するｎクラスタ（nは自然数）のデータに欠陥が生じて代替領域のデータに交替記録する管理情報が記録される管理領域は、
第１のステータス領域と、第２のステータス領域と、欠陥クラスタの先頭セクタ番号領域と、交替クラスタの先頭セクタ番号領域からなり、
欠陥クラスタの先頭セクタ番号領域のクラスタ番号領域には連続する前記ｎクラスタの
先頭のクラスタ番号をクラスタ内セクタ番号領域にはｎが記録され、
交替クラスタの先頭セクタ番号領域のクラスタ番号領域には前記ｎクラスタの交替クラスタの先頭クラスタのクラスタ番号をクラスタ内セクタ番号領域にはｎが記録されることを特徴とするディジタル情報の記録媒体。
【請求項８】
ユーザーデータ領域の連続するｎクラスタ（nは自然数）のデータに欠陥が生じて代替領域のデータに交替記録する管理情報が記録される管理領域は、第１のステータス領域と、第２のステータス領域と、欠陥クラスタの先頭セクタ番号領域と、交替クラスタの先頭セクタ番号領域からなり、欠陥クラスタの先頭セクタ番号領域には連続する前記ｎクラスタの先頭セクタ番号が記録され、交替クラスタの先頭セクタ番号領域には前記ｎクラスタの交替クラスタの先頭セクタ番号が記録され、一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRD以外の第１のステータスと第２のステータスの組み合わせとなるように、nをエンコード、もしくは一部に他との識別コード一部にnを配置して、生成された第１のステータスと第２のステータスが記録されたディジタル情報の記録媒体から、上記管理情報に従って、再生処理を行うことを特徴とするディジタル情報の再生方法。
【請求項９】
ユーザーデータ領域の連続するｎクラスタ（nは自然数）のデータに欠陥が生じて代替領域のデータに交替記録する管理情報が記録される管理領域は、第１のステータス領域と、第２のステータス領域と、欠陥クラスタの先頭セクタ番号領域と、交替クラスタの先頭セクタ番号領域からなり、欠陥クラスタの先頭セクタ番号領域のクラスタ番号領域には連続する前記ｎクラスタの先頭のクラスタ番号をクラスタ内セクタ番号領域にはｎが記録され、交替クラスタの先頭セクタ番号領域のクラスタ番号領域には前記ｎクラスタの交替クラスタの先頭クラスタのクラスタ番号をクラスタ内セクタ番号領域にはｎが記録されたディジタル情報の記録媒体から、上記管理情報に従って、再生処理を行うことを特徴とするディジタル情報の再生方法。
【請求項１０】
記録媒体にディジタル情報を記録する記録装置であって、
データのエンコード手段と、
交替処理制御手段と、
交替処理登録手段を具備し、
該交替処理登録手段は、
ユーザーデータ領域の連続するｎクラスタ（nは自然数）のデータに欠陥が生じて代替領域のデータに交替記録する管理情報が記録される、第１のステータス領域と、第２のステータス領域と、欠陥クラスタの先頭セクタ番号領域と、交替クラスタの先頭セクタ番号領域からなる管理領域に対し、
欠陥クラスタの先頭セクタ番号領域には連続する前記ｎクラスタの先頭セクタ番号を記録し、交替クラスタの先頭セクタ番号領域には前記ｎクラスタの交替クラスタの先頭セクタ番号を記録し、一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRD以外の第１のステータスと第２のステータスの組み合わせとなるように、nをエンコードもしくは、一部に他との識別コード一部にnを配置して生成された、第１のステータスと第２のステータスを記録することを特徴とするディジタル情報の記録装置。
【請求項１１】
記録媒体にディジタル情報を記録する記録装置であって、
データのエンコード手段と、
交替処理制御手段と、
交替処理登録手段を具備し、
該交替処理登録手段は、
ユーザーデータ領域の連続するｎクラスタ（nは自然数）のデータに欠陥が生じて代替領域のデータに交替記録する管理情報が記録される、第１のステータス領域と、第２のステータス領域と、欠陥クラスタの先頭セクタ番号領域と、交替クラスタの先頭セクタ番号領域からなる管理領域に対し、欠陥クラスタの先頭セクタ番号領域のクラスタ番号領域には連続する前記ｎクラスタの先頭のクラスタ番号をクラスタ内セクタ番号領域にはｎを記録し、交替クラスタの先頭セクタ番号領域のクラスタ番号領域には前記ｎクラスタの交替クラスタの先頭クラスタのクラスタ番号をクラスタ内セクタ番号領域にはｎを記録することを特徴とするディジタル情報の記録装置。
【請求項１２】
ユーザーデータ領域の連続するｎクラスタ（nは自然数）のデータに欠陥が生じて代替領域のデータに交替記録する管理情報が記録される管理領域は、第１のステータス領域と、第２のステータス領域と、欠陥クラスタの先頭セクタ番号領域と、交替クラスタの先頭セクタ番号領域からなり、欠陥クラスタの先頭セクタ番号領域には連続する前記ｎクラスタの先頭セクタ番号が記録され、交替クラスタの先頭セクタ番号領域には前記ｎクラスタの交替クラスタの先頭セクタ番号が記録され、一つのクラスタに発生した欠陥を１つのクラスタ交替させるＲＡＤ、もしくは、ｎ個のクラスタに発生した欠陥をｎ個のクラスタに交替させる際の先頭クラスタもしくは最後尾クラスタを示すCRD、もしくは、一つの欠陥を示し交替は指示しないNRD以外の第１のステータスと第２のステータスの組み合わせとなるように、nをエンコード、もしくは一部に他との識別コード一部にnを配置して、生成された第１のステータスと第２のステータスが記録されたディジタル情報の記録媒体から、
上記管理情報読み取る管理情報読み取り手段を具備し、
上記管理情報読み取り手段により読み取られた上記管理情報に従った再生制御を行う再生制御手段を具備することを特徴とするディジタル情報の再生装置。
【請求項１３】
ユーザーデータ領域の連続するｎクラスタ（nは自然数）のデータに欠陥が生じて代替領域のデータに交替記録する管理情報が記録される管理領域は、第１のステータス領域と、第２のステータス領域と、欠陥クラスタの先頭セクタ番号領域と、交替クラスタの先頭セクタ番号領域からなり、欠陥クラスタの先頭セクタ番号領域のクラスタ番号領域には連続する前記ｎクラスタの先頭のクラスタ番号をクラスタ内セクタ番号領域にはｎが記録され、交替クラスタの先頭セクタ番号領域のクラスタ番号領域には前記ｎクラスタの交替クラスタの先頭クラスタのクラスタ番号をクラスタ内セクタ番号領域にはｎが記録されたディジタル情報の記録媒体から、
上記管理情報読み取る管理情報読み取り手段を具備し、
上記管理情報読み取り手段により読み取られた上記管理情報に従った再生制御を行う再生制御手段を具備することを特徴とするディジタル情報の再生装置。
【発明の詳細な説明】
【技術分野】
【０００１】
本発明は、情報記録媒体、および、情報記録媒体に情報を記録する情報記録装置および情報記録方法、および、情報記録媒体から情報を再生する情報再生装置および情報再生方法に関する。
【背景技術】
【０００２】
本発明の背景技術としては、例えば特許文献１がある。特許文献１には「CRD（consecutive re-allocated defect」の記載がある。
【先行技術文献】
【特許文献】
【０００３】
【特許文献１】特表２００７−５２４１８４号公報
【発明の概要】
【発明が解決しようとする課題】
【０００４】
従来ＤＶＤより発展した光ディスクであるブルーレイディスクでは、ディフェクト管理を行う際に、特許文献１記載の技術であるCRDタイプのDFLエントリーを用いることで２個のDFLエントリーで連続する欠陥の交替の指示を行うことを可能としていた。しかしながら、２層５０GBのディスクに対し、多層技術などにより更に大容量化を行おうとする際に、従来装置との親和性や起動処理の効率化などのために、ディフェクトリストの容量は従来のままで済ませようとすると、更に効率の良い欠陥の交替指示の表示方法が必要となった。
【課題を解決するための手段】
【０００５】
上記課題は、その一例として特許請求の範囲に記載の発明により解決される。
【発明の効果】
【０００６】
本発明によれば、適切な再生処理、記録処理をすることができるため、ユーザ利便性を向上させることができる。
【図面の簡単な説明】
【０００７】
【図１】光ディスクの記録装置の実施例を示すブロック図
【図２】光ディスクの記録方法に従ったディフェクト管理リストのデータの配置図
【図３】光ディスクの記録方法に従ったディフェクト管理リストのデータの配置図
【図４】光ディスクの記録方法の実施例を示すフローチャート
【図５】第一の実施例のＤＦＬエントリー読出時のシーケンス
【図６】第二の実施例のＤＦＬエントリー読出時のシーケンス
【図７】光ディスクの記録方法の実施例であるデータの配置図
【図８】ＢＤ−ＲのＤＦＬエントリー詳細
【発明を実施するための形態】
【０００８】
以下、本発明を実施するための最良の形態について図面を用いて説明する。
【０００９】
図1は本発明の第１の実施例の装置構成を示す図である。図の１０１は記録媒体、１０２は記録媒体への情報記録、および情報再生を行う光ピックアップである。１０４はホスト１０８からの記録情報の記録データへの変換、およびディスクからのＲＦ再生信号から２値化データ、さらにホストへの再生情報を生成するデータ記録再生回路である。１０５はデータ記録再生回路１０４で生成される２値化信号からエラー数、およびジッタなどを検出して交替処理の必要判定を行う交替処理判定回路である。１０８は交替処理が連続で行われた回数をカウントする交替数カウント回路である。１０６は交替数カウント回路１０８の出力に従って、記録媒体１０１の交替領域にデータ記録再生回路１０４を介して交替記録を行う交替処理回路である。１０７は交替処理が行われた記録媒体のアドレスと、交替記録が行われた記録媒体のアドレスを記録媒体に登録する交替処理登録回路であり図２で示された構成のＤＦＬエントリーをデータ記録再生装置１０４を介して記録する。前記１０４から１０８の回路はマイコン１０９により制御される。
【００１０】
図２を用いて、本発明の第１の実施例である交替処理と本実施例での記録媒体への交替処理登録方法について説明する。同図では、ＣＲＤタイプの交替登録処理において、同図(a)に示すようにアドレスＡからＢまでの領域が連続的にアドレスaからbまでに交替処理された例を示す。(b)は交替処理における交替元と交替先のアドレス対応を管理する交替処理管理リスト(以降これをDefect List：DFLと示す)のＢＤ−Ｒにおける例を示す。DFLの各エントリーは図のように交替元先頭アドレス(Defect Cluster first PSN)とそのStatus情報(Status1)、交替先先頭アドレス(Replacement Cluster first PSN)とそのStatus情報(Status2)から構成される。Status情報はDFLの各エントリーの登録タイプの違いを示す。図８にBD-Rディスク規格で規定されているDFLエントリーの登録タイプとそのStatus情報を示す。従来のＣＲＤタイプの交替登録処理では、図(c)に示すように交替元と交替先の先頭アドレス(Aとa)およびそのStatus情報を持つエントリーと、交替元と交替先の終端アドレス(Bとb)およびそのStatus情報を持つエントリーの２つをDFLに登録することが必要となる。
【００１１】
図の(d)に本実施例におけるＣＲＤ処理（以降これをＣＲＤ２とする）のDFLのエントリー構成（以降これをエントリー２とする）を示す。本構成では、Status1に従来のＣＲＤタイプの交替登録処理と識別するための識別コード（本実施例では”1111”）、Status2に連続する交替処理クラスタ数を記録する。Status2の値は同図に示すように、ＣＲＤ処理の終端アドレス（Ｂ）から先頭アドレス（Ａ）を減算し、クラスタ内アドレス数で除算することにより算出できる。本実施例ではStatus2の4ビットで最大16クラスタまでの連続交替処理領域をＣＲＤ２で管理することができる。
【００１２】
本発明のエントリー構成とすることにより、ＣＲＤタイプの交替処理において従来２つ必要であったエントリー登録を１つとすることができ、DFLの総量を削減することができる。このため、例えば光ディスクの多層化などで記録媒体のデータ容量が増大した場合においてもDFLの総量を抑制でき、記録媒体上のDFL領域の削減、およびDFLをドライブ内情報として保持する際のメモリ量などの削減も実現できる。
【００１３】
図４に本実施例におけるDFLエントリー登録処理シーケンスを示す。本例ではＢＤ−ＲにおけるDFLエントリー登録処理シーケンスを示す。データ記録再生回路１０４により任意の整数Ｎ個のクラスタの記録処理を行い（４０１）、その記録領域のデータを再生して交替処理判定回路１０５により交替判定処理（Verify処理）を行う（４０２）。その結果、Defectなどによる交替処理が必要なしと判定された場合（４０３）はDFLエントリー処理を行わずに記録を終了する。交替処理が必要と判定された場合は、交替領域に交替記録可能領域があるか確認を行う（４０４）。この確認は、例えばDFLに登録されている交替先アドレス情報を管理することで実現することができる。交替領域に交替記録可能領域がない場合は、ＮＲＤ（Non-Re-Allocation Defect）エントリーとしてStatusに登録する。交替領域に交替記録可能領域がある場合は、交替数カウント回路１０８により交替領域が連続クラスタか判定する（４０５）。連続クラスタではない場合は、１クラスタ毎にDFLへ登録するＲＡＤ（Re-Allocation Defect）エントリーとしてStatusに登録する（４１０）。連続クラスタと判断された場合は、連続クラスタ数が所定のしきい値以下か判定する（４０６）。前記しきい値とはＣＲＤ２での交替クラスタ数の表現範囲であり、本実施例では前述のように１６となる。連続クラスタ数が所定のしきい値以上の場合は、従来のＣＲＤエントリーとしてStatusに登録する（４０８）。連続クラスタ数が所定のしきい値以下の場合は、本実施例のＣＲＤ２エントリーとして連続交替クラスタ数とともにStatusに登録する（４０７）。
【００１４】
DFLエントリーが決定すれば、それに沿ってDFLに所定情報の登録を行う。図２に示す本実施例のＣＲＤ２の場合は、連続交替クラスタの交替元先頭アドレスと交替先先頭アドレスと連続クラスタ数の登録を行う。
【００１５】
上記のフローを基に、図１の動作を補足説明すると、交替数カウント回路１０８は４０４、４０５、４０６の判定を行い交替処理回路１０６や交替処理登録回路１０７を制御している。交替処理登録回路は４０７〜４１０の処理を行う。
【００１６】
次に図５を用いて、本実施例におけるDFLエントリー読み出しシーケンスについて説明する。再生時などにおいてDFLエントリーが読み出されると、エントリー確認を行い（５０１）、Status1が”0000”であるか判定する（５０２）。Status1が”0000”であった
場合は、Status2を判定して(５０４)、ＲＡＤエントリー（５０５），ＣＲＤエントリー（５０６）いずれかを判断する。Status1が”0000”以外と判定され、かつStatus1が”1111”であった場合は、本発明のＣＲＤ２登録と判断される。Status1が”1111”以外と判定された場合は、ＮＲＤ登録であると判断する。
【００１７】
DFLエントリーが決定すれば、それに沿ってDFLから所定情報の読み出しを行う。例えば図２に示す本実施例のＣＲＤ２の場合は、連続交替クラスタの交替元先頭アドレスと交替先先頭アドレスと連続クラスタ数をDFLから読み出し、交替再生処理を行う。
【００１８】
上記フローを基に再生時の図１の動作を補足説明すると、交替処理登録回路１０７はDFLエントリーを読み出し、RAD,CRD,NRD、CRD2の判別を行い、これに従い交替処理回路１０６は、記録再生回路１０４を制御して交替処理に従った再生を実現する。
【００１９】
本実施例により、従来のＣＲＤタイプの交替登録処理では交替元、交替先それぞれの先頭アドレス、終了アドレスの２つのエントリー登録が必要であったものが、連続クラスタ数をStatus情報内に記録することにより交替元、交替先の先頭アドレスと連続クラスタ数を１つのエントリーに登録することができ、記録媒体の容量増加に伴う交替領域の増加において、従来のＣＲＤタイプの交替登録処理と比較してDFLの増加を抑制することができる。
【００２０】
なお、上記実施例ではStatus2部分に連続交替クラスタ数を記録したが、同様の情報をStatus1のコードにエンコードして埋め込む方法（例えばコード”0011”ならば連続交替クラスタ数2など）や、Status1、2を組み合わせて連続交替クラスタ数を表す方法なども考えられ、上記実施例に限定されるものではない。
【００２１】
次に本発明の第２の実施例について説明する。
【００２２】
本発明の装置構成については、第１の実施例と同様であり、ここでは説明を省略する。図３を用いて本実施例での記録媒体への交替処理登録方法について説明する。同図では、第１の実施例と同様にＣＲＤタイプの交替登録処理において、同図(a)に示すようにアドレスＡからＢまでの領域が連続的にアドレスaからbまでに交替処理された例を示す。(b)は本実施例での交替処理における交替元と交替先のアドレス対応を管理するＤＦＬのＢＤ−Ｒにおける例を示す。DFLの各エントリーは図のように交替元先頭アドレス(Defect Cluster first PSN)とそのStatus情報(Status1)、交替先先頭アドレス(Replacement Cluster first PSN)とそのStatus情報(Status2)から構成される。さらに各アドレスフィールドは上位２１ビットと下位５ビットに分けられ、図のCount9-5、Count4-0を合わせた１０ビットをカウントフィールドと呼ぶ。従来のＣＲＤタイプの交替登録処理では、図(c)に示すように交替元と交替先の先頭アドレス(Aとa)およびそのStatus情報を持つエントリーと、交替元と交替先の終端アドレス(Bとb)およびそのStatus情報を持つエントリーの２つをDFLに登録することが必要となる。また、交替処理はクラスタ単位の処理となるため、図(c)に示すようにA、a、B、bの各アドレスの下位５ビットは必ずすべてゼロになる。
【００２３】
図の(d)に本実施例におけるＣＲＤ処理（以降これをＣＲＤ３とする）のDFLのエントリー構成（以降これをエントリー３とする）を示す。本構成では、各DFLエントリーのカウントフィールド１０ビットに交替処理クラスタ数を記録する。本実施例では１０ビットのカウントフィールドに最大１０２４クラスタまでの連続交替処理領域を登録することができる。
【００２４】
本発明のエントリー構成とすることにより、ＣＲＤタイプの交替処理において従来２つ必要であったエントリー登録を１つとすることができ、DFLの総量を削減することができる。さらに連続交替クラスタ登録数においても、本実施例では第１の実施例よりより多くのクラスタ数を登録することができる。これにより、例えば光ディスクの多層化などで記録媒体のデータ容量が増大した場合においてもDFLの総量を抑制でき、記録媒体上のDFL領域の削減、およびDFLをドライブ内情報として保持する際のメモリ量などの削減も実現できる。
【００２５】
図７に本実施例におけるDFLエントリー登録処理シーケンスを示す。本例ではＢＤ−ＲにおけるDFLエントリー登録処理シーケンスを示す。本シーケンスと第１の実施例における図４のシーケンスとの違いは、図７の４０６におけるしきい値判定処理において、しきい値以下と判定された場合に、本実施例のＣＲＤ３エントリーとして連続交替クラスタ数とともにStatusに登録する（４０７）点である。
【００２６】
次に図６を用いて、本実施例におけるDFLエントリー読み出しシーケンスについて説明する。再生時などにおいてDFLエントリーが読み出されると、エントリー確認を行い（６０１）、Status1が”0000”であるか判定する（６０２）。Status1が”0000”以外である場合は、ＮＲＤ登録であると判断する（６０８）。Status1が”0000”であった場合は、Status2が”0000”であるか判定する(６０３)。Status2が”0000”であった場合は、ＲＡＤ登録であると判断する（６０５）として登録する。Status2が”0000”以外であった場合、さらにStatus2が”0011” であるか判定する(６０４)。Status2が”0011”以外と判定された場合はＣＲＤ登録と判断する。Status2が”0011”であった場合は、本発明のＣＲＤ３登録と判断する。
【００２７】
なお、本実施例ではＣＲＤ３登録の判定としてStatus2にＣＲＤ３用のコードを用意したが、同様にStatus1にＣＲＤ３用のコードを用意してStatus1によるＣＲＤ３登録の識別も可能である。
【００２８】
DFLエントリーが決定すれば、それに沿ってDFLから所定情報の読み出しを行う。例えば図２に示す本実施例のＣＲＤ３の場合は、連続交替クラスタの交替元先頭アドレスと交替先先頭アドレスを示すアドレスフィールドと１０ビットのカウントフィールドをDFLから読み出す。読み出した各アドレスフィールド値に対して、下位５ビットを拡張してゼロで埋めることにより、連続交替クラスタの交替元先頭アドレスと交替先先頭アドレスを算出する。これらのアドレスとカウントフィールドに登録されている連続交替ブロック数から交替再生処理を行う。
【００２９】
上記フローを基に再生時の図１の動作を補足説明すると、交替処理登録回路１０７はDFLエントリーを読み出し、RAD,CRD,NRD、CRD2の判別を行い、これに従い交替処理回路１０６は、記録再生回路１０４を制御して交替処理に従った再生を実現する。
【００３０】
なお、上記ではＣＲＤ登録処理が導入されているＢＤ−Ｒにおける実施例を示したが、ＣＲＤ登録が導入されていないＢＤ−ＲＥについても、同様に本発明を導入することは可能である。また、ＢＤ−ＲＥであらかじめ交替領域を予約登録するＳＰＲ(Spear Cluster available for reallocation)登録、および記録不可領域を登録するＰＢＡ(Possibly Bad Area)登録においても、本発明の適用は可能である。
【００３１】
また、上記第１の実施例と第２の実施例が同一ディスク内で混在してもよい。この場合、従来のDFLエントリーとの判別と同様に、Status1および2の情報で両者を判別することができる。
【００３２】
また、例えばＢＤ−Ｒ規格で定義されているLogical Over Write処理(LOW処理)のような交替処理と同様の処理についても、本発明を適用することが可能である。
【００３３】
以上、本発明の好適な実施例を説明した。本発明によれば、記録容量を増加させることによってより多くの欠陥交替処理が必要になっても、連続するクラスタの交替に対して、ステータスもしくはセクタアドレス表示部の一部を以って、連続するクラスタ数を示すので、1個のDFLエントリーで指示出来る為、従来の装置との高い互換性を保ったまま、多くの欠陥の交替を少ないＤＦＬエントリーで指示できディフェクトリストの容量増加を防ぐことができる。
【符号の説明】
【００３４】
１０１  ディスク、１０２  ピックアップ、１０３  スピンドルモーター、１０４  データ記録再生回路、１０５  交替処理判定回路、１０６  交替処理回路、
１０７  交替処理登録回路、１０８  交替数カウント回路
【図１】
2010205373.tif 000003
【図２】
2010205373.tif 000004
【図３】
2010205373.tif 000005
【図４】
2010205373.tif 000006
【図５】
2010205373.tif 000007
【図６】
2010205373.tif 000008
【図７】
2010205373.tif 000009
【図８】
2010205373.tif 000010